(57)【要約】【課題】集光素パターンおよび画素パターンを高速に形成することができ、ひいては装飾表示体の製造コストを低減することが可能な装飾表示体を提供する。【解決手段】装飾表示体１０は、透明な可撓性素材からなる厚みｔの透明素材１１が折り曲げ部１１ａによって二つ折りに重ね合わせられた状態となされ、該透明素材１１は集光素パターン１２Ａが形成された集光素側素材１１１と、画素パターン１３Ａが形成された画素側素材１１２とを備える。装飾表示体１０は、集光素側素材１１１と画素側素材１１２の一方側部の間の折り曲げ部１１ａで折り曲げられて、集光素側素材１１１と画素側素材１１２が厚み方向に重ね合わさることで、集光素パターン１２Ａの集光素１２と画素パターン１３Ａの画素１３が重ね合わさった集光素側素材１１１と画素側素材１１２の透明な部分を介して同じ方向に２次元的に配列する。【選択図】図２
2013086504.tif 000002
【特許請求の範囲】
【請求項１】
シート状または板状の透明な素材の表面または裏面に、複数の凸レンズ状の集光素を各集光素の並びに方向性を持たせて所定の配列ピッチで２次元的に配列して集光素パターンが形成された集光素側素材と、
シート状または板状の透明な素材の表面または裏面あるいは不透明な素材の裏面に、着色された複数の画素を各画素の並びに前記集光素パターンと同じ方向性を持たせて前記各集光素パターンと異なる配列ピッチで２次元的に配列して画素パターンが形成された画素側素材とを備え、
前記集光素側素材と画素側素材の一方側部の間で折り曲げられて、前記集光素側素材と画素側素材が厚み方向に重ね合わさることによって、前記集光素パターンの集光素と前記画素パターンの画素が該重ね合わさった集光素側素材および画素側素材の透明な部分を介して同じ方向に２次元的に配列することを特徴とする装飾表示体。
【請求項２】
前記集光素側素材と前記画素側素材は一枚の透明素材から構成され、該透明素材における集光素側素材と画素側素材の一方側部の間で折り曲げられる請求項１に記載の装飾表示体。
【請求項３】
前記集光素側素材と画素側素材の一方側部の間に可撓性の連結部材が設けられ、前記集光素側素材と画素側素材の一方側部の間で該連結部材を介して折り曲げられる請求項１に記載の装飾表示体。
【請求項４】
前記集光素側素材と画素側素材の一方側部の間の折り曲げ部を軸として、前記集光素側素材と画素側素材が互いに開閉自在に構成されている請求項１ないし請求項３のいずれかに記載の装飾表示体。
【請求項５】
前記集光素側素材と画素側素材の一方側端部の間で平面方向に交互に複数回折り曲げられる請求項１ないし請求項４のいずれかに記載の装飾表示体。
【請求項６】
シート状または板状の透明な集光素側素材の表面または裏面に、複数の凸レンズ状の集光素を各集光素の並びに方向性を持たせて所定の配列ピッチで２次元的に配列して集光素パターンを形成するともに、
シート状または板状の透明な画素側素材の表面または裏面あるいは不透明な画素側素材の裏面に、着色された複数の画素を各画素の並びに前記集光素パターンと同じ方向性を持たせて前記各集光素パターンと異なる配列ピッチで２次元的に配列して画素パターンを形成し、
前記集光素側素材と画素側素材の一方側部の間で折り曲げて、前記集光素側素材と画素側素材を厚み方向に重ね合わせることによって、集光素パターンの集光素と画素パターンの画素を該重ね合わせた集光素側素材および画素側素材を介して同じ方向に２次元的に配列させることを特徴とする装飾表示体の製造方法。
【発明の詳細な説明】
【技術分野】
【０００１】
本発明は、遊技機やゲーム機の外層パネル、包装箱、広告体、飾り品、ディスプレイ装置、文房具、土産品、教材等の各種商品の装飾に用いられる装飾表示体に関するものである。
【背景技術】
【０００２】
従来より、遊技機やゲーム機の外層パネル、包装箱、広告体、飾り品、ディスプレイ装置、文房具、土産品、教材等の各種商品の装飾として、図柄の拡大虚像を各種商品の表面から上方または下方に現出させる装飾表示体を適用することが知られており、例えば下記特許文献１に開示されている。
【０００３】
この特許文献１に開示される装飾表示体は、シート状または板状の透明素材の表面に、複数の凸レンズ状の集光素を各集光素の並びに方向性を持たせて２次元的に配列して集光素パターンが形成されるとともに、透明素材の裏面に、着色された複数の画素を各画素の並びに集光素パターンと同じ方向性を持たせて２次元的に配列して画素パターンが形成され、各集光素と各画素の配列ピッチが異なるように集光素パターンと画素パターンとが形成されることにより、画素の拡大虚像が透明素材の上方または下方に現出するものである。
【０００４】
この装飾表示体の製造に際しては、透明素材を所定の印刷機に通して、透明素材の表面および裏面にそれぞれ集光素パターンおよび画素パターンをスクリーン印刷等の印刷により形成することが知られている。
【先行技術文献】
【特許文献】
【０００５】
【特許文献１】特許第３４８８１７９号
【発明の概要】
【発明が解決しようとする課題】
【０００６】
しかしながら、従来の装飾表示体は、画素の拡大虚像を明確に現出させるために透明素材が所定の厚み（例えば、１．０ｍｍ以上）を有していることが多い。そして、この所定の厚みを有する透明素材に集光素パターンおよび画素パターンをスクリーン印刷等の印刷によって形成する場合、印刷機の構成上、高速印刷機を用いることは難しかった。
【０００７】
もとより、透明素材の厚みを高速印刷機にも印刷可能な厚みに限定すればよいが、これだと画素の拡大虚像を十分現出できなかったり、仮に現出できたとしても所定の厚み以下の透明素材ばかりとなって商品展開に制限を受けることとなる。
【０００８】
このため、所定の厚みを有する透明素材に集光素パターンおよび画素パターンを印刷によって形成するには、通常速度の印刷機を用いなければならなかった。特に、装飾表示体を構成する透明素材や各種インクは汎用的なものを使用するため、装飾表示体の製造コストは印刷機の印刷速度への依存度が高く、この印刷機の印刷速度の問題は無視できるものではなかった。
【０００９】
このような問題は集光素パターンや画素パターンを印刷により形成する場合に限定されるものではなく、その他の方法により形成する場合にも同様に生じる場合があった。
【００１０】
本発明は、上述の問題に鑑みてなされたものであって、装飾表示体における集光素パターンおよび画素パターンを高速に形成することができ、ひいては装飾表示体の製造コストを低減することが可能な装飾表示体の提供を目的とする。
【課題を解決するための手段】
【００１１】
本発明に係る装飾表示体は、シート状または板状の透明な素材の表面または裏面に、複数の凸レンズ状の集光素を各集光素の並びに方向性を持たせて所定の配列ピッチで２次元的に配列して集光素パターンが形成された集光素側素材と、シート状または板状の透明な素材の表面または裏面あるいは不透明な素材の裏面に、着色された複数の画素を各画素の並びに集光素パターンと同じ方向性を持たせて各集光素パターンと異なる配列ピッチで２次元的に配列して画素パターンが形成された画素側素材とを備え、集光素側素材と画素側素材の一方側部の間で折り曲げられて、集光素側素材と画素側素材が厚み方向に重ね合わさることによって、集光素パターンの集光素と画素パターンの画素が該重ね合わさった集光素側素材および画素側素材の透明な部分を介して同じ方向に２次元的に配列することを特徴とする。
【００１２】
これによれば、装飾表示体における集光素パターンおよび画素パターンを形成する過程では集光素側素材と画素側素材が折り曲げられる前の薄い状態であるため、集光素パターンと画素パターンを高速に形成することができる。しかも、集光素パターンと画素パターンが形成されたあとは、集光素側素材と画素側素材の一方側部の間で折り曲げられて、集光素側素材と画素側素材が厚み方向に重ね合わさることによって、完成品たる装飾表示体を簡単に構成することができる。
【００１３】
また、集光素側素材と前記画素側素材は一枚の透明素材から構成され、該透明素材における集光素側素材と画素側素材の一方側部の間で折り曲げられるものであってもよい。これによれば、一枚の透明素材において集光素パターンと画素パターンが同時または順次形成されたあと、そのまま集光素側素材と画素側素材の一方側部の間で折り曲げられて、集光素側素材と画素側素材が厚み方向に重なり合わさる。このため、装飾表示体をより一層簡単かつ高速に製造することができるとともに、製造ラインの簡素化も図ることができる。
【００１４】
また、集光素側素材と画素側素材の一方側部の間に可撓性の連結部材が設けられ、集光素側素材と画素側素材の一方側部の間で該連結部材を介して折り曲げられるものであってもよい。これによれば、可撓性の連結部材が折り曲げられた状態となるため、集光素側素材と画素側素材を密着状態に簡単かつ確実に重ね合わせることができる。また、集光素側素材および画素側素材そのものは折り曲げられないため、集光素側素材および画素側素材として様々な材質のものを用いることができる。
【００１５】
また、集光素側素材と画素側素材の一方側部の間の折り曲げ部を軸として、集光素側素材と画素側素材が互いに開閉自在に構成されているものであってもよい。これによれば、集光素側素材と画素側素材を閉じた場合には画素の拡大虚像を現出させる一方、集光素側素材と画素側素材を開いた場合には画素の拡大虚像を消失させることができ、使用者等において画素の拡大虚像の現出および消失を自由に操作することが可能となる。
【００１６】
また、集光素側素材と画素側素材の一方側端部の間で平面方向に交互に複数回折り曲げられるものであってもよい。これによれば、集光素パターンおよび画素パターンを形成する過程では集光素側素材と画素側素材が折り曲げられる前のより一層薄い状態となるため、完成品たる装飾表示体が非常に厚い場合でも集光素パターンと画素パターンを高速で形成することができる。
【００１７】
また、本発明に係る装飾表示体の製造方法は、シート状または板状の透明な集光素側素材の表面または裏面に、複数の凸レンズ状の集光素を各集光素の並びに方向性を持たせて所定の配列ピッチで２次元的に配列して集光素パターンを形成するともに、シート状または板状の透明な画素側素材の表面または裏面あるいは不透明な画素側素材の裏面に、着色された複数の画素を各画素の並びに集光素パターンと同じ方向性を持たせて各集光素パターンと異なる配列ピッチで２次元的に配列して画素パターンを形成し、集光素側素材と画素側素材の一方側部の間で折り曲げて、集光素側素材と画素側素材を厚み方向に重ね合わせることによって、集光素パターンの集光素と画素パターンの画素を該重ね合わせた集光素側素材および画素側素材を介して同じ方向に２次元的に配列させることを特徴とする。
【発明の効果】
【００１８】
本発明によれば、装飾表示体における集光素パターンおよび画素パターンを形成する過程では集光素側素材と画素側素材が折り曲げられる前の薄い状態であるため、装飾表示体における集光素パターンと画素パターンを高速に形成することができる。しかも、集光素パターンと画素パターンが形成されたあとは、集光素側素材と画素側素材の一方側部の間で折り曲げられて、集光素側素材と画素側素材が厚み方向に重ね合わさることによって、完成品たる装飾表示体を簡単に構成することができる。このため、多数の装飾表示体を簡単かつ高速に順次製造していくことができ、装飾表示体の製造コストを低減することが可能となる。
【図面の簡単な説明】
【００１９】
【図１】第１の実施形態に係る装飾表示体の斜視図である。
【図２】図１の装飾表示体の拡大正面断面図である。
【図３】図１の装飾表示体における透明素材の折り曲げ前の状態における（ａ）平面図と、（ｂ）正面図である。
【図４】図１の装飾表示体の集光素と画素の位置関係を示す拡大模式平面図である。
【図５】図１の装飾表示体の製造方法を示す図である。
【図６】第２の実施形態に係る装飾表示体の平面図である。
【図７】図６の装飾表示体の拡大正面断面図である。
【図８】第３の実施形態に係る装飾表示体の斜視図である。
【図９】図８の装飾表示体の（ａ）開いた状態の拡大正面断面図と、（ｂ）閉じた状態の拡大正面断面図である。
【図１０】第４の実施形態に係る装飾表示体の拡大正面断面図である。
【発明を実施するための形態】
【００２０】
＜第１の実施形態＞
次に、本発明に係る装飾表示体の第１の実施形態について図１〜図５を参照しつつ説明する。
【００２１】
本実施形態の装飾表示体１０は、図１および図２に示すように、透明な可撓性素材からなる一定の厚みｔ（本実施形態ではｔ＝０．５ｍｍ）を有した透明素材１１が二つ折りに重ね合わせられた状態となされており、該透明素材１１は表面に集光素パターン１２Ａが形成された集光素側素材１１１と、表面に画素パターン１３Ａが形成された画素側素材１１２とを備えている。
【００２２】
前記透明素材１１は、図２に示すように、集光素側素材１１１を厚み方向上側に備えるとともに、画素側素材１１２を厚み方向下側に備えており、全体として２ｔ（本実施形態では２ｔ＝１．０ｍｍ）の厚みを有している。本実施形態において、透明素材１１の厚み２ｔは、集光素パターン１２Ａと画素パターン１３Ａが画素１３の拡大虚像Ｚ１を現出させる焦点距離である。
【００２３】
この透明素材１１は、図３に示すように、二つ折りに重ね合わせられる前の状態では、一枚のシート状の部材である。このとき、集光素側素材１１１が右側に配置され、画素側素材１１２が左側に配置されており、これら集光素側素材１１１と画素側素材１１２の一方側部の間は折り曲げ部１１ａとなされている。
【００２４】
前記集光素側素材１１１は、長さＬ、幅Ｗの矩形状に形成されており、表面に集光素パターン１２Ａが全面的に形成されている。なお、この集光素パターン１３Ａについての詳細は後述する。
【００２５】
前記画素側素材１１２は、集光素側素材１１１と同様、長さＬ、幅Ｗの矩形状に形成されている。このため、図１および図２に示すように、集光素側素材１１１と画素側素材１１２が厚み方向に重ね合わさると、両者は外縁が一致する態様で重ね合わさることが可能である。この画素側素材１１２は、集光素側素材１１１における集光素パターン１２Ａと同一側の表面に画素パターン１３Ａが全面的に形成されている。また、一方の裏面には接着層（図示略）が略全面的に設けられており、画素側素材１１２と集光素側素材１１１の裏面同士が重ね合わさることによって両者の裏面同士が接着する。なお、この画素パターン１３Ａについての詳細は後述する。
【００２６】
前記折り曲げ部１１ａは、集光素側素材１１１の左側一方側部１１１ａと画素側素材１１２の右側一方側部１１２ｂとの間で折り曲げるためになされた透明素材１１の一部分である。この折り曲げ部１１ａは長さＬ、幅ｗを有しており、該幅ｗは少なくとも透明素材１１の厚みｔの２倍より広く設定されている（ｗ＞２ｔ）。これにより、図２に示すように、折り曲げられた際、集光素側素材１１１と画素側素材１１２が厚み方向に重ね合わさって全体として厚み２ｔとなっても、両者を密着する態様で重ね合わせることができる。また、これにより、集光素パターン１２Ａと画素パターン１３Ａとが集光素側素材１１１および画素側素材１１２の透明な部分を介して対向することが可能になる。
【００２７】
前記集光素パターン１２Ａは、図４に示すように、集光素側素材１１１と画素側素材１１２が厚み方向に重ね合わさった状態において、複数の凸レンズ状の集光素１２を各集光素１２の並びに方向性を持たせて２次元的に配列して形成されている。本実施形態では、ｘ方向とこれに直交するｙ方向とについて一定の配列ピッチｐで各集光素１２がマトリクス状に等配列している。なお、各集光素１２の配列は、必ずしも直交するパターンである必要はなく、一方の配列方向に対する他方の配列方向が９０度より小さい角度または９０度より大きい角度をなすようにしてもよい。なお、本実施形態では、例えば集光素１２Ａの直径は１．０ｍｍであり、配列ピッチｐは１．１０ｍｍである。
【００２８】
前記画素パターン１３Ａは、図４に示すように、複数の画素１３を各画素１３の並びに集光素パターン１２と同じ方向性を持たせて２次元的に配列して形成されている。本実施形態では、ｘ方向とこれに直交するｙ方向とについて前記集光素パターン１２Ａと異なる一定の配列ピッチｑで各画素１３がマトリクス状に等配列している。本実施形態各画素１３の配列ピッチｑは、各集光素１２の配列ピッチｐより狭い間隔で設定されている。なお、本実施形態では、例えば線状画素１３Ａの配列ピッチｑは１．１０ｍｍである。
【００２９】
以上の集光素パターン１２Ａおよび画素パターン１３Ａによれば、透明素材１１が折り曲げ部１１ａで折り曲げられて、集光素側素材１１１と画素側素材１１２が厚み方向に重ね合わさることによって、集光素パターン１２Ａの集光素１２と画素パターン１３Ａの画素１３が該重ね合わさった集光素側素材１１１および画素側素材１１２の透明な部分を介して同じ方向に２次元的に配列することとなる。この際、画素１３の配列ピッチｑが集光素１２の配列ピッチｐよりも狭い間隔で設定されているため、図２に示すように、画素１３の拡大虚像Ｚ１を透明素材１１の下方に現出させることができる。
【００３０】
次に、本装飾表示体１０の製造方法を図５を参照しつつ説明する。
【００３１】
まず、図５（ａ）に示すように、透明素材１１における集光素側素材１１１（折り曲げ部１１ａより右側）の表面に、複数の凸レンズ状の集光素１２を各集光素１２の並びに方向性を持たせて配列ピッチｐで２次元的に配列して集光素パターンを形成する。なお、ここでの集光素パターン１２Ａの形成は印刷により行う。
【００３２】
次に、透明素材１１における画素側素材１１２（折り曲げ部１１ａより左側）の表面に、着色された複数の画素１３を各画素１３の並びに集光素パターン１２Ａと同じ方向性を持たせて配列ピッチｑで２次元的に配列して画素パターン１３Ａを形成する。なお、ここでの画素パターン１３Ａの形成は印刷により行う。
【００３３】
次に、図５（ｂ）に示すように、折り曲げ部１１ａを軸として、集光素側素材１１１と画素側素材１１２を厚み方向に折り曲げる。なお、図５（ｂ）では、集光素側素材１１１の位置が固定され、折り曲げ部１１ａを軸に画素側素材１１２が下方側に折り曲げられていくことが示されている。
【００３４】
次に、図５（ｃ）に示すように、集光素側素材１１１と画素側素材１１２を厚み方向に重ね合わせて、画素側素材１１２の裏面に設けられた接着層によって集光素側素材１１１と画素側素材１１２の裏面同士を接着する。
【００３５】
これにより、集光素パターン１２Ａの集光素１２と画素パターン１３Ａの画素１３が該重ね合わさった集光素側素材１１１および画素側素材１１２の透明な部分を介して同じ方向に２次元的に配列する。このようにして、図１および図２に示した本装飾表示体１０を構成する。
【００３６】
以上によれば、集光素パターン１２Ａおよび画素パターン１３Ａを形成する過程では、集光素側素材１１１および画素側素材１１２は折り曲げ部１１ａで折り曲げられる前の状態の厚みｔという薄い状態である。したがって、装飾表示体１０における集光素パターン１２Ａと画素パターン１３Ａを高速に形成することができる。しかも、集光素パターン１２Ａと画素パターン１３Ａが形成されたあとは、折り曲げ部１１ａで折り曲げられて、集光素側素材１１１と画素側素材１１２が厚み方向に重ね合わさることによって厚み２ｔ、すなわち画素１３の拡大虚像Ｚ１を現出させる厚みとなされるため、完成品たる装飾表示体１０を簡単に構成することができる。
【００３７】
また、一枚の透明素材１１において集光素パターン１２Ａと画素パターン１３Ａが順次形成されたあと、そのまま集光素側素材１１１と画素側素材１１２の一方側部の間の折り曲げ部１１ａで折り曲げられて、集光素側素材１１１と画素側素材１１２が厚み方向に重ね合わさるため、装飾表示体１０をより一層簡単かつ高速に製造することができるとともに、製造ラインの簡素化も図ることができる。
【００３８】
なお、本実施形態において、各画素１３の配列ピッチｑが各集光素１２の配列ピッチｐより狭い間隔で設定されている場合について説明したが、各集光素１２の配列ピッチｐより広い間隔で設定されてもよい。この場合、画素１３の拡大虚像Ｚを透明素材１１の上方に現出することができる。
【００３９】
また、各集光素１２の配列ピッチｐおよび各画素１３の配列ピッチｑは、各々一定である場合について説明したが、いずれも間隔が変化するようにしてもよいし、一方が一定で他方が変化するようにしてもよい。これにより、現出させる画素１３の拡大虚像Ｚあるいは拡大虚像群の形状を変化させることができる。
【００４０】
また、集光素パターン１２Ａおよび画素パターン１３Ａが印刷により形成される場合について説明したが、その他の方法により形成してもよい。
【００４１】
また、集光素パターン１２Ａが画素パターン１３Ａより先に形成される場合について説明したが、逆でもよい。
【００４２】
また、集光素パターン１２Ａと画素パターン１３Ａが順次形成される場合について説明したが、同時に形成されてもよい。
【００４３】
また、集光素パターン１２Ａが集光素側素材の１１１の表面に形成される場合について説明したが、裏面でもよい。
【００４４】
また、画素パターン１３Ａが画素側素材の１１２の表面に形成される場合について説明したが、裏面でもよい。
【００４５】
また、画素側素材の１１２が透明である場合について説明したが、不透明であってもよい。この場合、画素パターン１３Ａは画素側素材の１１２の裏面に形成される。
【００４６】
また、透明素材１１がシート状である場合について説明したが、板状であってもよい。
【００４７】
また、接着層が画素側素材１１２の裏面に設けられている場合について説明したが、集光素側素材１１２の裏面であってもよいし、集光素素材１１１および画素側素材１１２の両者の裏面に設けられてもよい。
【００４８】
また、透明素材１１の厚みｔが０．５ｍｍで、装飾表示体１０としての厚み２ｔが１．０ｍｍである場合について説明したが、これらの数値に限定されるものではなく、集光素１２、画素１３の大きさ、配列ピッチ、厚みや集光素パターン１２Ａと画素パターン１３Ａによる焦点距離などに応じて適宜変更されてもよい。
【００４９】
また、図１〜図５に示す集光素１２および画素１３の大きさ、配列ピッチ、厚みなどは、説明の便宜上、強調的に大きく図示したものである。実際には各領域には非常に小さい集光素１２および画素１３が２次元的に数多く配列されている。なお、以下の説明に用いる図においても同様とする。
【００５０】
また、集光素側素材１１１の左側一方側部１１１ａおよび画素側素材１１２の右側一方側部１１２ｂは、図面上は一点鎖線で示されているが、該一点鎖線は仮想線である。
【００５１】
＜第２の実施形態＞
次に、本発明の第２の実施形態に係る装飾表示体について図６および図７を参照しつつ説明する。
【００５２】
本実施形態では、装飾表示体２０が第１の実施形態とは異なる態様によって集光素側素材と画素側素材の一方側部の間で折り曲げられる場合について説明する。なお、以下では、第１の実施形態と異なる構成についてのみ説明するものとし、同一の構成については説明を省略して、同一の符号を付すこととする。
【００５３】
本実施形態の装飾表示体２０は、図６および図７に示すように、表面に集光素パターン１２Ａが形成されたシート状の透明な集光素側素材２１１と、表面に画素パターン１３Ａが形成されたシート状の透明な画素側素材２１２と、集光素側素材２１１と画素側素材２１２の一方側部（図中では左側端部）の間に設けられた可撓性の連結部材２２とを備えている。なお、本実施形態において、集光素パターン１２Ａと画素パターン１３Ａが画素１３の拡大虚像Ｚ２を現出させる焦点距離は２ｔであるものとする。
【００５４】
前記集光素側素材２１１と画素側素材２１２は、図７に示すように、いずれも厚みｔを有する別個の透明な素材の表面に集光素パターン１２Ａと画素パターン１３Ａとが個別に形成されており、互いの裏面同士が重ね合わさっている。このため、装飾表示体２０としては全体として厚み２ｔとなり、集光素パターン１２Ａと画素パターン１３Ａとは、集光素側素材２１１および画素側素材２１２の透明な部分を介して対向している。なお、集光素側素材２１１および画素側素材２１２の両者あるいはいずれか一方の裏面には接着層が設けられており、該接着層によって接着されている。
【００５５】
前記連結部材２２は、図６および図７に示すように、重なり合う集光素側素材２１１と画素側素材２１２の一方側部の外側を覆う態様で該一方側部に沿って長さ方向に設けられている。この連結部材２２は、幅が少なくとも集光素側素材２１１と画素側素材２１２が重ね合わさった厚み２ｔより広く設定されている。これにより、図７に示すように、連結部材２２が集光素側素材２１１と画素側素材２１２の一方側部の間で折り曲げられた状態となされることで、集光素側素材２１１と画素側素材２１２を密着する態様で重ね合わせることができる。また、このことによって、集光素パターン１２Ａと画素パターン１３Ａとが集光素側素材２１１および画素側素材２１２の透明な部分を介して対向するため、画素１３の拡大虚像Ｚ２を現出することができる。
【００５６】
以上によれば、可撓性の連結部材２２が折り曲げられた状態となるため、集光素側素材２１１と画素側素材２１２を密着状態に簡単かつ確実に重ね合わせることができる。また、集光素側素材２１１および画素側素材２１２そのものは折り曲げられないため、集光素側素材２１１および画素側素材２１２として硬さなどの制限を受けないため様々な材質のものを用いることができる。
【００５７】
なお、本実施形態において、連結部材２２が集光素側素材２１１と画素側素材２１２の一方側部の外側を覆う態様で設けられる場合について説明したが、集光素側素材２１１と画素側素材２１２の一方側部の内側を挟持される態様で設けられてれもよい。さらに、連結部材が集光素側素材２１１と画素側素材２１２の一方側部の外側および内側の両方が設けられてもよい。
【００５８】
また、連結部材２２とは、集光素側素材と画素側素材を一方側部を連結するとともに、集光素側素材と画素側素材を一方側部の間で折り曲げ可能であるため、折り曲げ部の概念に含まれるものである。
【００５９】
＜第３の実施形態＞
次に、本発明の第３の実施形態に係る装飾表示体について図８および図９を参照しつつ説明する。
【００６０】
本実施形態では、使用者が画素の拡大虚像の現出および消失を自由に操作でき、写真や絵はがき等を装飾的に保持する装飾表示体３０について説明する。なお、以下では、上記の各実施形態と異なる構成についてのみ説明するものとし、同一の構成については説明を省略して、同一の符号を付すこととする。
【００６１】
本実施形態の装飾表示体３０は、図８および図９に示すように、表面の一部に集光素パターン１２Ａが形成されたシート状の透明な集光素側素材３１１と、裏面の一部に画素パターン１３Ａが形成されたシート状の不透明な画素側素材３１２と、集光素側素材３１１と画素側素材３１２の一方側部の間に設けられた連結部材２２とを備えており、画素側素材３１２の裏面側に写真Ｒを保持している。なお、本実施形態において、集光素パターン１２Ａと画素パターン１３Ａが画素１３の拡大虚像Ｚ３を現出させる焦点距離はｔであるものとする。
【００６２】
前記集光素側素材３１１は、図８に示すように、表面の外縁に沿った所定幅の領域に集光素パターン１２Ａが形成されている集光素領域３１１ａと、集光素領域３１１ａの内側の領域において集光素パターン１２Ａが形成されていない透明窓領域３１１ｂとを備えている。集光素領域３１１ａは、集光素パターン１２Ａが形成されている領域であるため、集光素側素材３１１の裏面側に画素パターン１３Ａが配置されることによって画素１３の拡大虚像を現出させることができる。一方、透明窓領域３１１ｂは透明な素材のみの領域であるため、裏面に配置されたもの（本実施形態では写真Ｒ）をそのままの色、大きさ、形状で表面側に表示する。
【００６３】
前記画素側素材３１２は、裏面の外縁に沿った所定幅の領域（集光素側素材３１１の集光素領域３１１ａに対応する領域）に画素パターン１３Ａが形成されている画素領域３１２ａと、画素領域３１２ａの内側の領域（集光素側素材３１１の透明窓領域３１１ｂに対応する領域）である写真保持領域３１２ｂと、写真保持領域３１２ｂの四隅近傍に写真Ｒの各角部を挿入させて写真Ｒを保持するスリット部３１２ｃとを備えている。
【００６４】
本実施形態において、集光素側素材３１１および画素側素材３１２の裏面には接着層が形成されていない。このため、集光素側素材３１１と画素側素材３１２は、連結部材２２を軸にして開閉自在に構成されている。
【００６５】
したがって、図９（ａ）に示すように、まず、連結部材２２を軸にして集光素側素材３１１と画素側素材３１２を開いた状態にする。
【００６６】
次に、各スリット部３１２ｃに写真Ｒの各角部を画素側素材３１２の裏面側から挿入し、写真Ｒを写真保持領域３１２ｂに保持させる。
【００６７】
次に、図９（ｂ）に示すように、連結部材２２を軸にして集光素側素材３１１と画素側素材３１２を閉じた状態にする。
【００６８】
すると、集光素側素材３１１と画素側素材３１２が厚み方向に重ね合わさることで、透明窓領域３１１ａでは写真Ｒをそのまま表示される。また、集光素領域３１１ａおよび画素領域３１２ａにおいては、画素１３の拡大虚像Ｚ３を表面側に現出させることができる。
【００６９】
以上によれば、集光素側素材３１１と画素側素材３１２を閉じた場合には画素１３の拡大虚像Ｚ３を現出させる一方、集光素側素材３１１と画素側素材３１２を開いた場合には画素１３の拡大虚Ｚ３像を消失させることができ、使用者等において画素１３の拡大虚像Ｚ３の現出および消失を自由に操作することが可能となる。また、画素１３の拡大虚像Ｚ３によって、写真Ｒを装飾的に保持することが可能になる。
【００７０】
なお、本実施形態において、画素側素材３１２が不透明である場合について説明したが、透明であってもよい。この場合、画素側素材３１２の表面に画素パターン１３Ａを形成してもよい。
【００７１】
また、集光素側素材３１１と画素側素材３１２が連結部材２２によって折り曲げられる場合について説明したが、集光素側素材３１１と画素側素材３１２が一枚のシート状の透明素材から構成され、該透明素材における集光素側素材と画素側素材の一方側部の間で折り曲げられるようにしてもよい。
【００７２】
また、連結部材２２が集光素側素材３１１と画素側素材３１２の間に設けられる場合について説明したが、集光素側素材３１１と画素側素材３１２の一方側部の間において、集光素側素材３１１および画素側素材３１２の両方あるいはいずれか一方から可撓性の連結片を突設させて、該連結片によって集光素側素材３１１と画素側素材３１２の一方側部の間を接着などにより連結するとともに、折り曲げ可能に構成するようにしてもよい。
【００７３】
また、図９（ｂ）において、集光素側素材３１１と画素側素材３１２が閉じられた際に、画素１３および写真Ｒの厚み分だけ集光素側素材３１１と画素側素材３１２の間に隙間があるように図示したが、この隙間は極めて小さいものであり、拡大虚像Ｚ３の現出を妨げるではない。
【００７４】
＜第４の実施形態＞
次に、本発明の第４の実施形態に係る装飾表示体４０について図１０を参照しつつ説明する。
【００７５】
本実施形態では、装飾表示体４０が上記各実施形態の装飾表示体１０〜３０より厚い場合について説明する。なお、以下では、上記の各実施形態と異なる構成についてのみ説明するものとし、同一の構成については説明を省略して、同一の符号を付すこととする。
【００７６】
本実施形態の装飾表示体４０は、図１０に示すように、可撓性素材からなる厚みｔを有した一枚のシート状の透明素材４１が平面方向に交互に２回折り曲げられて三つ折りの状態となされている。なお、本実施形態において、集光素パターン１２Ａと画素パターン１３Ａが画素１３の拡大虚像Ｚ４を現出させる焦点距離は３ｔであるものとする。
【００７７】
前記透明素材４１は、最上層には集光素パターン１２Ａが形成された集光素側素材４１１を備えるとともに、最下層には画素パターン１３Ａが形成された画素側素材４１２を備えている。また、これら集光素側素材４１１と画素側素材４１２の一方側部の間には、装飾表示体４０としての厚みを持たせる厚み用透明素材部分４１３が集光素側素材４１１と画素側素材４１２の折り返し部分として備えられており、これにより装飾表示体４０は全体として厚み３ｔとなされている。
【００７８】
以上によれば、透明素材４１が集光素側素材４１１と画素側素材４１２の一方側部の間で平面方向に交互に折り曲げられて装飾表示体４０を構成することによって、集光素パターン１２Ａおよび画素パターン１３Ａを形成する過程では、集光素側素材４１１と画素側素材４１２が折り曲げられる前の厚みｔというより一層薄い状態であるため、完成品たる装飾表示体４０が厚み３ｔという厚い場合でも集光素パターン１２Ａと画素パターン１３Ａを高速で形成することができる。
【００７９】
なお、本実施形態において、透明素材４１が２回折り曲げられる場合について説明したが、３回以上でもよい。
【００８０】
また、集光素側素材４１１が最上層である場合について説明したが、集光素側素材４１１の上面に透明素材が積層されるようにしてもよい。また、画素素材４１２が最下層である場合について説明したが、画素側素材４１２の下面に透明素材または不透明素材が積層されてもよい。
【００８１】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００８２】
１０、２０、３０、４０…本装飾表示体
１１、４１…透明素材
１１１、２１１、３１１、４１１…集光素側素材
１１２、２１２、３１２、４１２…画素側素材
１２…集光素
１２Ａ…集光素パターン
１３…画素
１３Ａ…画素パターン
２２…連結部材
３１１ａ…集光素領域
３１１ｂ…透明窓領域
３１２ａ…画素領域
３１２ｂ…写真保持領域
３１２ｃ…スリット部
４１３…厚み用透明素材部分
ｐ…集光素の配列ピッチ
ｑ…画素の配列ピッチ
Ｚ１〜Ｚ４…拡大虚像
【図１】
2013086504.tif 000003
【図２】
2013086504.tif 000004
【図３】
2013086504.tif 000005
【図４】
2013086504.tif 000006
【図５】
2013086504.tif 000007
【図６】
2013086504.tif 000008
【図７】
2013086504.tif 000009
【図８】
2013086504.tif 000010
【図９】
2013086504.tif 000011
【図１０】
2013086504.tif 000012